(57)【要約】      （修正有）【課題】本の版面の見開きが同じ個所で容易にできるようにするとともに、何回見開きしても、版面が破れ難くする折り目構造を提供する。【解決手段】各版面の喉の折り目となる部分に天から地にかけてミシン目を形成するとともに、ミシン目の間に筋目を形成した折り目構造を施したことを特徴とする。ミシン目と筋目を併用したものであるから、それぞれが互いの欠点を補完し合うものとなる。すなわち、ミシン目は紙片の長さを相対的に短くして折り抵抗を減らすし、筋目は優先的な折りラインを呈出して紙片に対する折り荷重を減じ、破れを防止する働きをする。【選択図】図２
0003150449.tif 000002
【実用新案登録請求の範囲】
【請求項１】
各版面の喉の折り目となる部分に天から地にかけてミシン目を形成するとともに、ミシン目の間に筋目を形成した折り目構造を施したことを特徴とする本の折り目構造。
【請求項２】
折り目構造がミシン目の他にパンチや細長孔である請求項１の本の折り目構造。
【請求項３】
折り目構造の位置が底面視で中央ページから表表紙及び裏表紙にかけて山形に形成される請求項１又は２の本の折り目構造。
【考案の詳細な説明】
【技術分野】
【０００１】
本考案は、見開いたときに各版面が喉の折り目となる部分で正確に折られ、かつ、元に戻り難い本の折り目構造に関するものである。
【背景技術】
【０００２】
本では、無線綴じ、中綴じ等を問わず、各版面（ページ）を左右に開いたときに手を離すと元に戻って閉じることがある（これを見開きが悪いという）。特に、厚紙で構成される絵本等ではその傾向が強い。このため、開いたページを手で押えておくか又は強く押えて折り癖を付けたりする必要がある。したがって、面倒であるし、押えるにしても、非力な幼児等ではこれも思うようにならない。
【０００３】
このため、本出願人は下記特許文献１において、喉の折り目となる部分にミシン目、パンチ或いは細長孔（以下、ミシン目という）を形成してこのラインで折り癖をつけるような案件を提案している。ところが、ミシン目は、本来、そのラインで破るためのものであるから、何回か見開くうちに破れてしまうことがある。一方、折り易くするために筋目（溝）を付けることがあるが、紙厚や紙質に対する折り目の深さの調整は難しく、浅ければ折り易さに欠けるし、深ければミシン目と同様に破れ易くなる。
【先行技術文献】
【特許文献】
【０００４】
【特許文献１】特開２００２−８６９５４号公報
【考案の概要】
【考案が解決しようとする課題】
【０００５】
本考案が解決しようとする課題は、どのページでも大した力を必要としないで折り目となる決まったラインで見開いた状態を維持でき、かつ、見開きを繰り返しても破れたりしないようにすることである。
【課題を解決するための手段】
【０００６】
本考案は、上記した課題を解決するために、請求項１に記載した、各版面の喉の折り目となる部分に天から地にかけてミシン目を形成するとともに、ミシン目の間に筋目を形成した折り目構造を施したことを最も主要な特徴とするとともに、これにおいて、請求項２に記載した、折り目構造がミシン目の他にパンチや細長孔である手段、請求項３に記載した、折り目構造の位置が底面視で中央ページから表表紙及び裏表紙にかけて山形に形成される手段を主要な特徴とするものである。
【考案の効果】
【０００７】
請求項１に係る折り目構造によれば、ミシン目と筋目を併用したものであるから、それぞれが互いの欠点を補完し合うものとなる。すなわち、ミシン目は紙片の長さを相対的に短くして折り抵抗を減らすし、筋目は優先的な折りラインを呈出して紙片に対する折り荷重を減じ、破れを防止する働きをする。
【図面の簡単な説明】
【０００８】
【図１】閉じた状態の本の斜視図である。
【図２】開いた状態の本の斜視図である。
【図３】折り構造の断面図である。
【図４】閉じた状態の本の一部底面図である。
【図５】開いた状態の本の一部底面図である。
【考案を実施するための形態】
【０００９】
以下、本考案の実施の形態を図面を参照して説明する。図１は本考案の一例を示す閉じた状態の本の斜視図、図２は開いた状態の斜視図であるが、本は、周知のように表紙１と版面（本文）２とからなる。綴じ方には、糊を使用したものと、針を使用したものとがあり、前者には、糸綴じ、アジロ綴じ、無線綴じ等があるが、いずれも、本文（折丁）２の一端（背表紙側）３を表紙１の中央部４に糊付けするものである。また、後者には、中綴じ、平綴じといったものがあるが、針を用いて版面を表紙と一緒に綴じたものである。本考案に係る折り目構造は、いずれの製本方式による本にも適用できる。
【００１０】
本考案は、見開いたときに版面２の喉の折り目となる部分において、天から地にかけて折曲ラインとなる個所に折り目構造５を施したものである。図３は折り目構造５の断面図であるが、本例の折り目構造５は、ミシン目６とミシン目６の間を連絡する筋目７とからなる。ここで、ミシン目６とは、紙片に一定間隔で開孔を形成したものであり、これが充たされるものであれば、パンチや細長孔であってもよい。また、筋目７とは、紙片に溝等を連続して形成したものである。
【００１１】
ミシン目６のピッチは適宜でよいが、筋目７との上記した協働関係を維持するためには、開孔部分と無孔部分との長さが同じ程度が適する。また、天と地の端は無孔部分とするのが破れを防止する意味で好ましく、この点で、この部分の長さをミシン目６のピッチ以上に長くしたり、この部分には筋目７を付けないことも考えられる。さらに、筋目７はミシン目６が存在することで比較的浅いものでよく、こうすることで破れ易さ（強度低下）を防ぐことができる。これらミシン目６と筋目７の形成は、ローラやトムソンで最初に筋目７を形成し、その後からミシン目６を形成するものであってもよいし、ミシン目６と筋目７を同時に形成するものであってもよい。
【００１２】
折り目構造５を施す個所は各ページで同じにしてもよいし、異なってもよい。前者であれば、折り目構造５の形成が容易であるし、後者であれば、折曲ラインがずれるから、見開きがより安定する。図４、図５は後者の例を示す本の一部底面図であるが、このように、折り目構造５の位置の積重ライン８が底面視で中央ページを頂部として表表紙及び裏表紙にかけて山形に形成されるのが好ましい。こうすると、見開いたときに折曲ラインが外側に順に低くなって重ならず、厚みを減じて安定した開きとなるからである。
【００１３】
なお、本例では、表紙１にも筋目９を施して見開きを安定させている。この場合の筋目９は、体裁を考えて見返し側を彫り込んだものにしてあり、加えて、筋目９の位置は、版面２の最初と最後のページのミシン目６の位置に合せるのが好ましい。こうすることで、版面２の開きが一層安定するからである。
【符号の説明】
【００１４】
１    表紙
２    版面
３    背
４    表紙の中央部
５    折り目構造
６    ミシン目
７    筋目
８    折り目構造の積重ライン
９    筋目
【図１】
0003150449.tif 000003
【図２】
0003150449.tif 000004
【図３】
0003150449.tif 000005
【図４】
0003150449.tif 000006
【図５】
0003150449.tif 000007
【手続補正書】
【提出日】平成21年3月11日(2009.3.11)
【手続補正１】
【補正対象書類名】実用新案登録請求の範囲
【補正対象項目名】請求項２
【補正方法】変更
【補正の内容】
【請求項２】
折り目構造のミシン目がパンチ又は細長孔から構成されている請求項１の本の折り目構造。
【手続補正２】
【補正対象書類名】明細書
【補正対象項目名】０００６
【補正方法】変更
【補正の内容】
【０００６】
本考案は、上記した課題を解決するために、請求項１に記載した、各版面の喉の折り目となる部分に天から地にかけてミシン目を形成するとともに、ミシン目の間に筋目を形成した折り目構造を施したことを最も主要な特徴とするとともに、これにおいて、請求項２に記載した、折り目構造のミシン目がパンチ又は細長孔から構成されている手段、請求項３に記載した、折り目構造の位置が底面視で中央ページから表表紙及び裏表紙にかけて山形に形成されている手段を主要な特徴とするものである。